(57)【特許請求の範囲】
【請求項１】
正立位の男性の胴周りに沿って配置される股上ウエスト部のはき口と、左右の脚を通す左右一対の股下と、股間に沿って前記はき口の前後を結んで配設される股上前後とを有する男性用パンツにおいて、前方下腹部の一部あるいは全部を開放して前側中央に開口部を穿設し、少なくとも男性性器から前ウエスト近傍までの領域以外の部分を覆う身頃と、前記身頃の開口部の外側で、前記前ウエストまたはその近傍の股上から股下またはその近傍まで上下方向に設けられる生地片で男性性器の前部を覆い、さらに前記生地片の向きを股間方向に切り替えて、股上よりも低い位置に延設して前記男性性器の下部を覆い、前記身頃の股上から股下にかけて接続して構成する前身頃と、を備え、前記左右一対の股下の前方部分は前記前身頃ともに、男性性器を囲む空間を形成する股下収納室を構成することを特徴とする男性用パンツ。
【請求項２】
前記前身頃下方の裏面で、左右方向の中心部から上方に凸設するひだを形成し、前記ひだを股グリに連設して構成することを特徴とする特許請求項第１項に記載の男性用パンツ。
【請求項３】
身頃の左右一対の前股上前後端縁が前記股下収納室の開口部を形成し、前記前股上前後端縁と後股上前後との境界点が即ち前記股下収納室の開口部の下端を形成するとき、前記開口部の下端がパンツ着用者の会陰部直下に配置することを特徴とする、特許請求項第１項ないし第２項のいずれか１項に記載の男性用パンツ。
【発明の詳細な説明】
【技術分野】
【０００１】
本発明は、着用時に男性性器全体を隔離収納するフンドシの長所と、ボクサーショーツやボクサーブリーフのファッション性を継承する男性用パンツに関する。
【０００２】
この明細書において男性性器とは男性の外部生殖器を指し、陰茎及び陰嚢を総称する意味で用いる。
【０００３】
この明細書において生地は、非伸縮性の織物、伸縮性の編物、不織布、紙を含む素材による。
【０００４】
この明細書において接続とは、縫合または溶着または接着等の任意の方法によるが、すべての接続部をシームレス成型により一体に形成することも可能である。
【０００５】
この明細書において「前ウエスト」「後ウエスト」「股上前後長」「殿囲」「大腿囲」の言語の定義については非特許文献１を適用する。また「股上前後長」などの個々の計測データについても同文献から引用する。
【０００６】
この明細書においてボクサーショーツに多く使用されるボタン止め前開き口のことを「ボタン止め前立て」と記載し、ブリーフやボクサーブリーフに多く使用される左右身頃の開口部を二重に重ね合わせる前開き口のことを「ブリーフ型前立て」と記載する。これらを総称する意味で「前立て」と記載する。
【０００７】
この明細書においてパンツの「股上前後」とは人体の「股上前後長」の計測部位に沿って形成されるもので、身頃の前ウエストから後ウエストを最短距離で結び、左右方向の中心に形成される一本の仮想線分であり、生地片に線が描かれている訳ではない。本件発明のパンツにおいては前記一本の線分として形成するもののほか、前方下腹部の開口部により身頃の生地が前方で除去されている実施例１の形態については、前記開口部の端縁沿いにＹ字状に分岐する線分として形成される。パンツの「股上前後」は、人体の「股上前後長」に目的に応じて一定の長さを加減して形成する線分である。
【０００８】
この明細書においてパンツの「股下」とは、パンツの「股上前後」の地上高の最も低い位置から脚裾口までの左右の身頃の部位を表わしており、相対的に「股下」よりも上の領域の身頃の部位を「股上」とする。
【背景技術】
【０００９】
日本国で第２次大戦時の兵士に至るまで長く使用された男性用下着はフンドシである。構造が簡単で、裸同様の自然な着用感覚でいられる。また男性性器は大腿部から隔離して釣支されているため蒸れず衛生的である。鼠径部や臀部が露出するファッション性の問題と、着用時に紐を締める手間が面倒なことから近年の着用者は少ないが、手放せない愛好者も存在する。
【００１０】
近年、ブリーフの伸縮性と、ボクサーショーツ同様の股下の脚裾口を有するボクサーブリーフが普及してきた。伸縮性に富む生地が膨出して男性性器を釣支し、陰嚢をフンドシ同様に大腿部から隔離するため装用感が優れている。体の中央に位置すべき陰茎が左右どちらかの配置を余儀なくされるボクサーショーツと異なり、股下の浅い上履きのズボンを着用しても陰茎の左右の配置を第三者が視認し辛いことが優れていると評価される。
【００１１】
ボクサーブリーフの脚裾口は大腿部を覆う長さであるが、生地は大腿部に密着しており、冬場の防寒用に自己発熱性繊維のタイツが普及するに伴い、重ね着したときにボクサーショーツがかさばって相性が悪いのと対照的に着膨れすることがなくフィットし、現在はボクサーショーツを抑えて日本国の市場で最も多く着用されるタイプになっている。
【００１２】
従来のボクサーブリーフは、ポリウレタンを含む伸縮性の生地で作られており、上向きの陰茎と陰嚢とをドーム状の膨出部に一体的に釣支するため、立ち座りを繰り返したり、運動をしたり、生地の伸縮性が経時劣化で低下したりすると、陰茎は直立姿勢を維持することが難しくなり、左又は右に傾いて収まりが悪くなる。陰嚢も大腿部側に降下して密着し不快感を覚える。陰嚢が強力に上方向に釣支されることで陰茎の包皮に鬼頭が埋没する現象に悩まされる男性も少なくない。不快感の解消のために、男性の手は無意識のうちに股間に伸びて男性性器の位置補正動作をしている。さらには、陰茎と陰嚢とが触れあって汗が溜まり、湿疹，皮膚炎，悪臭等の原因となるなど、衛生上の問題も起こり得る。
【００１３】
そもそも歴史的にも古いボクサーショーツが、一時期とはいえそれまで主流であったブリーフを抑えて日本国の市場を席巻した背景には、日本国独特の湿度の高さやブリーフ着用時の男性性器の窮屈な態様が影響していると推測される。ボクサーショーツ着用時の男性性器は、裸の自然な立位の状態のときとおなじように陰茎が下向きで陰嚢は垂れた状態になる。しかも股下は大腿部を覆う長さで大腿部との間に隙間があり開放的な構造のため通気性が良く、内部がむれにくいという利点を有している。
【００１４】
哺乳類における陰嚢は外部生殖器の機能として寒暖に対して敏感に反応し、絶えず収縮運動を続けて温度調節している。よって気温の高い季節にブリーフやボクサーブリーフの着用が長時間に及ぶと、伸縮性の生地によって身体に圧迫される陰嚢は前記温度調節を阻害されるため、陰嚢のとりわけ精巣の機能に好ましくない影響が及び得る。逆に、フンドシのように陰嚢の周囲に吸湿性の生地があれば、陰嚢表皮の汗を吸収して発汗作用を促進するため、好ましい影響が期待できる。
【００１５】
ボクサーショーツは着用者の態勢によっては脚裾口と大腿部との隙間から男性性器が露出する可能性がある。パンツの最も重要な役割であるべき男性性器を隠蔽する機能が十分ではないだけでなく、排尿後の尿垂れによって尿が脚裾口から落下して足やズボンに付着する原因にもなる。乾燥した尿は臭いを発するようになるが、匂いに慣らされて着用者だけが気付かないこともある。ボクサーショーツ、ボクサーブリーフのいずれの場合も、前立ての開口部の下端の位置は前股グリの位置の制約を受けるため陰茎の付け根とほぼ同じ高さにあり、スムーズな排尿作業にとって理想的な配置とはいいがたい。殿囲に余裕がありすぎるボクサーショーツの場合、前開き口が左右にぶれて排尿時に前開き口を探す時間を要することも少なくない。
【００１６】
上記を鑑みて着用時に男性性器の陰茎が左右に配置されず体の中央にあり、陰嚢が大腿部に触れないようにしてパンツの快適性を得ようとする観点から、特許文献によってさまざまな提案がなされている。
【先行技術文献】
【特許文献】
【００１７】
【特許文献１】特許第６３７６６７５号公報
【特許文献２】特許第３１４８８３３号公報
【特許文献３】特開２００１−３２１０１号公報
【非特許文献】
【００１８】
【非特許文献１】河内まき子・持丸正明、２００６：ＡＩＳＴ／ＨＱＬ 人体寸法・形状データベース２００３、産業技術総合研究所 Ｈ１８−ＰＲＯ５０３。
【非特許文献２】ＪＩＳ  Ｌ  ４００４：２００１  表１４
【発明の概要】
【発明が解決しようとする課題】
【００１９】
特許文献１によると、パンツを着用した状態においてパンツの男性性器が位置する部位に前記男性性器を収容する収容ポケットが形成され、ポケット後面部には収容ポケットに男性局部を収容する開口部が備わり、収容ポケットは、陰茎と陰嚢をそれらの根元から全て収容するようになっており、開口部を除くポケット後面部により、陰嚢が太腿部に直接接触しないようになっている。
【００２０】
しかしながら、同文献の下着を着用するには逐一男性性器を開口部に手で挿入する手間が必要で、従来のように両足を通すだけという動作でパンツを着用することができない問題がある。しかも前記開口部の面積は男性性器の付け根部の断面の面積に等しい大きさでつくられているので、万一、激しいスポーツなどでパンツの前身頃に腰回り方向や前方向の外力が作用すると、開口部が男性性器を引っ掛けて直接引っ張り、男性性器のとりわけ陰嚢に深刻なダメージを与え得るという安全上の懸念がある。
【００２１】
特許文献２によると、パンツ内側に左右相称形状の一対の左右身頃の各一側端の生地片を前記パンツの内側に向けて折り返して形成し、男性性器を支持するサポータを構成した。その効果としてパンツ内側に形成されるサポータにより男性性器を支持して安定させることができる。さらに、男性局部と太股部の直接接触を防止することができて衛生的である、としている。
【００２２】
しかしながら同文献のサポータのV字形溝形状は会陰部付近ではほぼ平坦に近くなり、男性性器を逸脱することなく収納する空間に乏しい。もし収納空間を十分に確保しようとすれば、パンツの股上前後を下に下げてV字形溝を深くする必要がある。しかしながらV字形溝が深くなると会陰部のさらに後方までV字形溝の上端縁が継続して肛門に触れるため、後股グリの肛門保護としての機能が損なわれて不快感が生じる。さらにパンツの股上前後を下に下げるためには着用者の開脚動作などの運動機能を損なわないために脚裾口の周長を従来品より大きくする必要がある。脚裾口の周長が増えると身頃の周長かあるいは股上前後長さのいずれかが増えるという相関関係がある。脚裾口の周長や身頃の周長が増えると見た目が悪くなり、ズボン内部でのかさばりやゴロツキ感も大きくなる。脚裾口の周長が増えると前立ての左右方向の位置が安定せず、スムーズな排尿動作を損なう問題がある。
【００２３】
特許文献３記載の技術は、下着の脚の部分を三股分かれにするもので、左脚収納部と右脚収納部の中間前方に、男性性器収納部を付け、男性性器部分を収納する専用スペースとする。三つの空間に、左脚、右脚、男性性器部分をはっきり分離して収納し、下着を両股まではきあげて着用するものである。
【００２４】
このように特許文献３記載のパンツでは、前記の特許文献１、２と異なり、男性性器の収納部に専用スペースを設け、三つの空間に分割することで、左脚、右脚、男性性器がそれぞれゆとりをもたせて分離できるようになる。かつ男性性器を垂らしたまま着用することができるようになり着用感が優れている。
【００２５】
しかしながら特許文献３記載のパンツは、左右脚裾口の股下の自由度を確保するために男性性器収納部分を第３の筒状体とせざるを得なかったので、様々な問題を抱えている。まず、このパンツを着用して着替えが必要なとき、股間の男性性器収納部は先端が自由であるため、前方に突き出たり風になびいたり、いやがうえにも強調されてしまい、見る人の目に異様または珍妙な光景に映る可能性が高い。さらに同パンツの上にズボンを着用するとき、男性性器の筒状収納部をズボンの左右いずれかの側の脚挿通口に挿入しなければならず、ズボンの大腿部の左右が外観上アンバランスに偏り、男性性器の配置が強調されてファッション性が劣る問題がある。男性性器収納部の第３の筒状体の入り口の高さはボタン止め前立てよりも下の低い位置にあり、激しい運動では男性性器が専用スペースからはみ出す可能性を排除できない問題がある。
【００２６】
この発明の第１の目的は、男性性器を布地で下方から包み込み、大腿部から一枚の生地片で隔離するため蒸れず快適であり、既存のボクサーブリーフやボクサーショーツのデザインを継承しつつ、前開き口の位置を下げて排尿をスムーズに行うことが可能なファッション性に優れたパンツを提供することにある。
【００２７】
第２の目的は、伸縮性あるいは非伸縮性の生地を問わず、着用時の下腹部前方股下に広い収納空間を形成し、陰茎がパンツの前股グリで左右の配置を強制されることなく中央に位置し、男性性器を釣支して圧迫することがなく自然に垂下する態様で収納することができて、既存のパンツになかった裸同様の自然な着用感覚でいられるパンツを提供することにある。
【００２８】
第３の目的は、非伸縮性の生地の場合、脚裾口の通気性を有していながら男性性器が脚裾口から露出する恐れがなく、尿垂れによって尿が脚裾口から落下してズボンに付着する恐れがなく、十分な隠蔽機能と、衛生的なパンツを提供することにある。
【００２９】
第４の目的は、伸縮性の生地の場合、既存のボクサーブリーフのように陰茎を上向きに釣支しないので鬼頭が陰茎の包皮に埋没するおそれがなく、生地の経時劣化によるサポート力の低下を気にする必要のない、装用感が優れて耐久性の高いパンツを提供することにある。
【００３０】
第５の目的は、着用時に男性性器を股下収納室に収納するための手先の操作を必要とせず、従来どおりの着用が可能であり、激しいスポーツ等で万一パンツに前後左右方向の外力が作用しても男性性器を引っ掛けて傷つける恐れのない、履きやすく安全なパンツを提供することにある。
【課題を解決するための手段】
【００３１】
請求項１に係る発明は、正立位の男性の胴周りに沿って配置される股上ウエスト部のはき口と、左右の脚を通す左右一対の股下と、股間に沿って前記はき口の前後を結んで配設される股上前後とを有する男性用パンツにおいて、前方下腹部の一部あるいは全部を開放して前側中央に開口部を穿設し、少なくとも男性性器から前ウエスト近傍までの領域以外の部分を覆う身頃と、前記身頃の開口部の外側で、前記前ウエストまたはその近傍の股上から股下またはその近傍まで上下方向に設けられる生地片で男性性器の前部を覆い、さらに前記生地片の向きを股間方向に切り替えて、股上よりも低い位置に延設して前記男性性器の下部を覆い、前記身頃の股上から股下にかけて接続して構成する前身頃と、を備え、前記左右一対の股下の前方部分は前記前身頃ともに、男性性器を囲む空間を形成する股下収納室を構成することを特徴とする。
【００３２】
請求項２に係る発明は、前記前身頃下方の裏面で、左右方向の中心部から上方に凸設するひだを形成し、前記ひだを股グリに連設して構成することを特徴とする。
【００３３】
請求項３に係る発明は、身頃の左右一対の前股上前後端縁が前記股下収納室の開口部を形成し、前記前股上前後端縁と後股上前後との境界点が即ち前記股下収納室の開口部の下端を形成するとき、前記開口部の下端がパンツ着用者の会陰部直下に配置することを特徴とする。
【発明の効果】
【００３４】
従来のフンドシ同様に体の中央で男性性器全体を布地で下方から包み込み大腿部から隔離して収納するという目的を、従来のボクサーショーツやボクサーブリーフのファッション性を大きく損なわずに実現した。
【００３５】
請求項１の発明によれば、前記左右一対の股下の前方部分は前記前身頃ともに、男性性器を囲む空間を形成する股下収納室を構成するため、本発明による男性用パンツを着用する正立位の男性性器は、着用前と同様に陰茎が体の中央に位置して股下収納室内に垂下しており、陰嚢の周囲を囲む吸湿性の生地によって陰嚢表面の汗を吸収するため、高温多湿の環境下で発汗作用を促して優れた装用感が得られる。大腿部と男性性器の間を左右それぞれ1枚の生地片で隔離しており、股間の生地片がかさばらず、非伸縮性生地のパンツにおいては通気性の向上に効果的である。
【００３６】
着用時のパンツに左右の足を入れてパンツのはき口周縁を握り履き上げる通常の着用動作で、大腿部と身頃股下部との摩擦力が開口部端縁を引っ張り、生地のよれが戻された股下収納室開口部は上向きに開いており、かつ前記開口部が目視可能であり、男性性器は手先の操作を必要とすることなく股下収納室に収納される効果が得られる。
【００３７】
ボクサーショーツタイプのパンツでは股下収納室に収納される男性性器によって相対的にパンツの左右方向のブレ自体が抑えられる。加えて前股グリが無くなるため、前立ての前開き口の下端の位置をズボンの前開き口の高さに合わせて下方に下げることができる。このため排尿時にズボンとパンツ前開き口の上下、左右方向のずれが減少し、パンツの前開き口を探す手間が減少し、陰茎の出し入れがスムーズに行えるようになる効果がある。
【００３８】
股下収納室は広い空間を形成しており、尿吸収パッドなどを容易に収納することが可能で様々な分野での応用があり得る。脚裾口にはボクサーショーツと同様の隙間があるにもかかわらず、前身頃に形成する底部によって脚裾口方向からの視線に対して男性性器を隠蔽する効果があり、同時に尿垂れによるズボンへの尿の落下を防ぐ衛生的なパンツを提供する効果がある。
【００３９】
請求項２の発明によれば、前記前身頃下方の裏面で、左右方向の中心部から上方に凸設するひだを形成し、前記ひだを股グリに連設して構成することで、股下収納室と股下との間に伸縮性を付与することができる。前記伸縮性によって脚裾口の周長や身頃の周長を増やすことなくパンツの股下の開脚動作などの自由な動きが担保される。ひだを股グリに連設して構成するため、後方からの意匠は股グリの一部として既存のボクサーショーツやボクサーブリーフのファッション性に馴染んでいる。股下に延設される前身頃にひだを形成するため、前方から見る意匠に股グリは存在せず、従って既存のパンツに比べて男性性器の配置が目立たなくなり、ファッション性の向上に役立つ。ゴムなどの特別なパーツを要することなく生地片の裁断だけで股下収納室を形成することで、着用時の股間にかさばりやゴロツキなどの違和感を生じることがなく装用感が優れて安価なパンツを提供することができる。
【００４０】
請求項３に係る発明によれば、身頃の左右一対の前股上前後端縁が前記股下収納室の開口部を形成し、前記前股上前後端縁と後股上前後との境界点が即ち前記股下収納室の開口部の下端を形成するとき、前記開口部の下端がパンツ着用者の会陰部直下に配置することで、前記前股上前後端縁は股間から鼠径部に沿ってウエスト前部に配設されて男性性器の付け根部の断面積の数倍に匹敵する股下収納室の開口部を形成しており、万一パンツに激しいスポーツで外力が作用しても男性性器を引っ掛けてダメージを与える恐れがない安全なパンツを提供する。前股上前後端縁に連続する後股上前後は既存のパンツ同様、殿裂から会陰部にかけて配置されて確実に肛門を覆い保護することができる。
【図面の簡単な説明】
【００４１】
【図１】本発明に係る実施例１の右身頃の裁断形状を示す展開図である。
【図２】本発明に係る実施例１の左身頃の裁断形状を示す展開図で、右の身頃と左右相称形である。
【図３】（ａ）は本発明に係る実施例１の右前身頃の裁断形状を示す展開図である。（ｂ）は本発明に係る実施例１の見返しの裁断形状を示す展開図である。（ｃ）は本発明に係る実施例１の左前身頃の裁断形状を示す展開図である。
【図４】本発明に係る実施例１の裁断後の左右のそれぞれの身頃の突き当て端縁を接続し、右前身頃にボタンを取り付け、左前身頃に見返しを取り付け、それぞれの前身頃の折曲部を折曲した状態を、前側左斜め上方から見た斜視図である。
【図５】（ａ）は図４の左身頃に左前身頃を接続し、右身頃に右前身頃を接続した状態を前側左斜め上方から見た斜視図である。（ｂ）は（ａ）のα部の拡大図である。
【図６】図５の左右１組の身頃を互いに接続し、ウエストゴムを装着する直前の状態を前側左斜め上方から見た斜視図である。
【図７】図６のウエストゴムを接続して完成した実施例１の男性用パンツ１Ｖの左側を透視して前側左斜め上方から見た斜視図である。
【図８】既設パンツの左身頃の裁断形状を示す参考展開図である。
【図９】本発明に係る実施例１の男性用パンツ１Ｖを着用するとき、男性性器との位置関係を示す正面図である。
【図１０】（ａ）は図９の男性用パンツ１Ｖと人体を矢視β-βから見る断面図である。（ｂ）は（ａ）の身頃股上前後長さの配分に関する説明図である。
【図１１】（ａ）は図１０（ａ）の男性用パンツ１Ｖと人体を矢視ε-εから見る断面図である。（ｂ）は（ａ）のη部の拡大図である。
【図１２】図１０（ａ）の男性用パンツ１Ｖと人体を矢視ζ-ζから見る、男性性器との位置関係を示す断面図である。
【図１３】（ａ）は図９の男性用パンツ１Ｖと人体を矢視γ-γから見る平面図である。（ｂ）は（ａ）のν部の拡大図である。
【図１４】（ａ）は図９の男性用パンツ１Ｖと人体を矢視δ-δから見る底面図である。（ｂ）は（ａ）の正立位時から開脚時への形態の変化を説明する底面図である。
【図１５】実施例２の男性用パンツ２Ｖを前側左斜め上方から見た斜視図である。
【図１６】本発明に係る実施例２の男性用パンツ２Ｖの上にズボンを着用するとき、男性性器との位置関係を側面から見る断面図である。
【図１７】本発明に係る実施例１の男性用パンツ１Ｖの股下収納室に吸水材を設置するとき側面から見る断面図である。
【図１８】本発明に係る実施例３の男性用パンツ３Ｖの正面図である。
【図１９】本発明に係る実施例４の男性用パンツ４Ｖの身頃の裁断形状を示す展開図である。
【発明を実施するための形態】
【００４２】
この明細書の図面において、煩雑さをまねく構成となることを避け理解の便宜のために、接続部は生地片の端縁を突き当て接続する表現に簡略化し、仕上げ代（縫い代）を省略している。ボタン止め前立ては２枚仕立て裁断となる箇所を１枚の生地片で簡略化している。立体を表すパンツの生地片にはよれがあり、接続部や外形線が完全な直線や円弧になることはないが完全な直線や円弧で簡略化して図示している。
【００４３】
以下、図面を参照してこの発明の実施の形態を説明する。図面上で符号の末尾、または末尾の数字の前に表記するｆ、ｂ、Ｒ、Ｌ、Ｃ、の符号は同一部材の前、後、左、右、中央の識別のために用いる。図面上のｆ、ｂ、Ｒ、Ｌ、Ｕ、Ｄの符号付き矢印はパンツを着用する身体の向きに適合し、パンツの正面に向かって右側がパンツの左側になる。
【００４４】
本発明に係る実施例１の男性用パンツ１Ｖの身頃は、すべて非伸縮性の生地、具体的には木綿である。図示例では、左身頃１ＡＬと右身頃１ＡＲとが接続されて構成されている。下着着用時に、左身頃１ＡＬは着用者の左側の臀部や腰を覆い、右身頃１ＡＲは右側の臀部や腰を覆い、左右対称に配置された同形のものである。実施例４に示すように左右の身頃を１枚仕立てに合成して形成することも可能である。
【００４５】
本発明に係る実施例１の男性用パンツ１Ｖの前身頃１Ｇは、身頃の上下方向に接続する垂設部１Ｇｆと前後方向に接続する底部１Ｇｊを形成し、左右に分割するものを接続して構成されている。分割部の端縁にボタン止め前立て１Ｈａとひだ１Ｇｇを形成するうえで好都合であり、前記分割部を接続してパンツが完成する。なおボタン止め前立てＨａについては前身頃１Ｇに必ずしも必要としない場合もあり得るので任意に配設する。
【００４６】
図１、図２および図３は男性用パンツ１Ｖを構成する生地片の裁断図であり、前記裁断図は着用時のパンツを外側から展開し、外側から投影する図である。図１、図２の生地片１ＡＬ、１ＡＲは一対の左身頃及び右身頃である。図３（ａ）（ｃ）の生地片ＧＬ、ＧＲは後に前身頃１Ｇとして接続する一対の左前身頃ＧＬ及び右前身頃ＧＲであり、持ち出し部Ｈｅを除けば左右相称形状に裁断されている。図１の右身頃１ＡＲについて説明すると、直線辺（３０３−３０５）で身頃前方の前突き当て端縁１ＥＢＲｆと、直線辺（３０８−３１０）で身頃後方の後突き当て端縁１ＥＢＲｂは、後に股間で互いに突き当て接続することで右の股下と脚裾口を形成する。直線辺（３０１−３０２）の上端縁１ＡＯＲは後にパンツのはき口周縁の右側の一部を形成する。具体的な実施例１の上端縁１ＡＯＲの長さ１Ｄｈは４３０ｍｍである。屈折する２本の直線辺（３０５−３０７）、（３０７−３０８）の下端縁１ＡＵＲは後に右脚裾口となる。具体的な実施例１の下端縁１ＡＵＲの長さ１Ｄｊは６００ｍｍである。凹弧状辺（３０１−３１０）はパンツの後方で股上前後に重複する端縁の後股上前後端縁１ＥＥｂであり、後に左身頃の同じ後股上前後端縁１ＥＥｂと互いに接続して後股上前後および後股グリを形成する。同じく凹弧状辺（３０２−３０３）はパンツの前方で股上前後に重複する端縁の前股上前後端縁１ＥＥＲｆであり、後に左身頃の同じ前股上前後端縁１ＥＥLfと下端部で接続してV字状の前股上前後および股下収納室の出入り口として穿設する開口部の端縁を形成するが、実施例２のように左右の前股上前後端縁を互いに接続して構成する場合もある。以上が右身頃１ＡＲを形成する端縁部の構成であり、左右相称形状で図２の左身頃１ＡＬの端縁部の構成についても同様に適合するので説明を省く。
【００４７】
図１の右身頃１ＡＲの接続線について説明すると、右身頃１ＡＲに図示する二点鎖線は生地片に線があるわけではなく、説明の便宜上設けた接続位置を表す線である。線分（３０２−３０６）は後に前身頃１Ｇの垂設部側端縁と接続する接続線＋１ＰｃＲである。点３０６は前身頃１Ｇの垂設部から底部への方向の切り替線との交点であり、実施例１では弧状に切り替えるが、前身頃の構成によっては実施例２のように鋭角に切り替えることも可能である。弧状線（３０６−３０４）と線分（３０９−３１１）は、突き当て端縁１ＥＢＲｆと１ＥＢＲｂの接続後は点３０９と点３０４が互いに重複して後に前身頃底部の側端縁へ接続する接続線＋１ＰａＲを形成する。線分（３４１−３１２）は後に前身頃ＧＲの下端縁を接続する接続線＋１ＰｅＲである。以上が右身頃１ＡＲに形成する接続線の構成であり、左右相称形状で図２の左身頃１ＡＬの接続線の構成についても同様に適合するので説明を省く。
【００４８】
図３（ａ）の右前身頃ＧＲは垂設部１Ｇｆと底部１Ｇｊおよびひだ部１Ｇｇによって構成する。直線辺（１０２−１１０）の上端縁１ＧｅＯは後にパンツのはき口周縁の前方の一部を形成する。直線辺（１０２−１０３）は後に右身頃１ＡＲの接続線＋１ＰｃＲに接続する垂設部１Ｇｆの右側端縁１ＰｃＲである。凸弧状辺（１０３−１０４）は後に右身頃１ＡＲの接続線＋１ＰａＲに接続する底部１Ｇｊの右側端縁１ＰａＲである。端縁に屈折する２本の直線辺（１０４−１０５）、（１０５−１０６）は本発明で特に重要なひだ１Ｇｇを形成する下端縁１ＰｅＲであり、後に右身頃１ＡＲの接続線＋１ＰｅＲに接続する。下端縁１ＰｅＲにハッチングを施したのは理解の便宜のためであって断面の図ではない。
【００４９】
二点鎖線の線分（１０３−１０８）は垂設部１Ｇｆから底部１Ｇｊへの切り替え位置を表す切り替え線Ｐｄであり、図面に向かって奥側に緩やかに曲面で折り曲げる折曲開始位置を表す。同じく二点鎖線の線分（１０４−１０７）も図面の奥側に折り曲げる折曲線その１の１Ｐｇ１であり、この折曲によりひだ１Ｇｇが上方に凸設する。二点鎖線の線分（１０５−１０７）は図面の手前側に折り曲げる折曲線その２の１Ｐｇ２であり、この折曲により右身頃１ＡＲの１本の接続線＋１ＰｅＲに対して、屈折する２本の直線辺（１０５−１０６）、（１０５−１０６）の下端縁１ＰｅＲを接続することが可能になる。よって前記２本の直線辺の長さは図１の右身頃１ＡＲの１本の接続線＋１ＰｅＲの長さ１Ｄｓに等しく、実施例１では具体的には略７．５ｃｍほどにしている。直線辺（１０１−１１０）と弧状辺（１０９−１１０）は前立ての持ち出し部Ｈｅであり、所定の位置にボタンＣａを装着する。以上が右前身頃ＧＲの端縁部の構成であり、持ち出し部Ｈｅを除けば左右相称形状である図３（ｃ）の左前身頃ＧＬの端縁部の構成についても同様に適合するので説明を省く。
【００５０】
図３（ｂ）の見返しＧｃについて説明すると、生地片に前記持ち出し部ＨｅのボタンＣａに対応する位置にボタンホールＣｂが穿設されている。直線辺（１５１−１５２）と弧状辺（１５１−１５３）は後にそれぞれ左前身頃１ＧＬの接続線（１１９−１２０）等に接続する。線分（１５４−１５５）は後に前立て開口部の下端を形成する接続線である。
【００５１】
図４、図５および図６は本発明に係る実施例１の完成図の図７に至るまでの製造過程を説明する斜視図である。木綿に図示するような形態を保つ性状はないが説明の便宜上、硬い性状のシートに例えて図示している。図４について説明すると、左身頃１ＡＬの前突き当て端縁１ＥＢＬｆと後突き当て端縁１ＥＢＬｂを互いに突き当て接続し、右身頃１ＡＲの前突き当て端縁１ＥＢＲｆと後突き当て端縁１ＥＢＲｂを互いに突き当て接続しているので、端点３０５、３０８と端点３３５、３３８がそれぞれ重複している。前記突き当て接合により左右の左脚裾口１ＮａＬと右脚裾口１ＮａＲが形成される。右前身頃ＧＲは切り替え線Ｐｄで折曲して前身頃の底部１Ｇｊを形成し、さらに折曲線その１の１Ｐｇ１と折曲線その２の１Ｐｇ２を段落番号００４９に記載するように折曲してひだ１Ｇｇを形成し、左前身頃ＧＬも同様に折曲線を折曲して上方に凸設するひだ１Ｇｇを形成している。左前身頃ＧＬの弧状接続線（１２０−１１９）と見返しＧｃの一部の弧状端縁（１５１−１５３）の接続を終えて次の接続工程に移行する。
【００５２】
図５（ａ）について説明すると、図４で準備した左右の前身頃ＧＬ、ＧＲの折曲によって形成した垂設部１Ｇｆと底部１Ｇｊの端縁部を左右の身頃１AL、１ＡＲに接続する工程である。右前身頃ＧＲでは前身頃垂設部１Ｇｆの右側端縁１ＰｃＲ、前身頃底部１Ｇｊの右側端縁１ＰａＲ、ひだ１Ｇｇの右下端縁１ＰｅＲ、がそれぞれ接続済である。当該接続により右身頃１ＡＲの切り替え点３０６と右前身頃ＧＲの切り替え点１０３とが互いに重複している。左前身頃ＧＬの左身頃１ＡＬへの接続についても同様に適合する工程であり、説明を省略する。
【００５３】
図５（ｂ）のα部の拡大図について説明する。右下端縁１ＰｅＲは右の股下１ＥＲに接続しており、ひだ１Ｇｇが前記股下表面に連設して構成されることを示している。中央分割端縁１ＧｇｅＣは後に左身頃側の中央分割端縁１ＧｇｅＣと互いに接続する。前突き当て端縁１ＥＢＲｆと後突き当て端縁１ＥＢＲｂを互いに突き当て接続する部分が右側の前股上前後端縁ＥＥＲｆと後股上前後端縁１ＥＥｂとの境界点１Ｘであると同時に、股下収納室開口部１Ｕの下端であることを図示している。底部１Ｇｊから端点３０３までの長さが股下収納室１Ｊの最も浅い箇所の深さ寸法となり、具体的には実施例１では略６ｃｍとした。なお前記したように端点３１１から点３１２までの接続線＋１ＰｅＲの実施例１での長さ（図１の寸法１Ｄｓ）は略７．５ｃｍとしたが、これらの寸法は後にパンツの他の部分の寸法の説明の為に仮決めするものであり、任意に設定して構わない数値である。
【００５４】
図６について説明すると、図５（ａ）で左右の互いに対峙する位置に現れた前身頃の中央分割端縁１ＧｅＣの一部を除いて接続して底部１Ｇｊを形成し、さらに左右の中央分割端縁１ＧｇｅＣを互いに接続してひだ１Gを形成する。身頃の後股上前後端縁１ＥＥｂを接続して後股グリ１Ｗと後股上前後１ＥAおよびはき口１Ｙを形成する。結果ひだ１Ｇｇは底部１Ｇｊの裏面で、左右方向の中心部から上方に凸設するひだを形成すると同時に、後股グリ１Ｗの表面に連設して形成されることになり、収納室を拡張するひだでありながら股グリの機能を兼ねている。さらに前記ひだ１Ｇｇは前身頃の垂設部１Ｇｆ側には現れない位置に設けられており、これにより、下着姿の男性性器の配置を目立たなくするファッション上の効果がある。当該工程で左右の前股上前後端縁１ＥＥＲｆおよび１ＥＥＬｆによって股下収納室の開口部１Ｕが形成される。具体的な実施例１の前記接続後の前身頃１Ｇの幅１Ｄｉは１８０ｍｍである。前身頃の中央分割端縁ＧｅＣを接続する工程で、端点１０１、１５２、１５１、１１０の順に接続し、さらに端点１５５、１５４、１０７の順に接続すると端点１５１、１５５と１５２、１５４間が非接続区間になるために前立ての開口部が穿設される。接続線（１５５−１５４）は開口下端Ｈａａを形成する。ウエストゴム１Ｋを接続する準備を整える。
【００５５】
図７について説明すると、図６で形成するはき口１Ｙにウエスト装着手段を接続して男性用パンツ１Ｖが完成し、左半分を透視する斜視図を示す。実施例１ではウエスト装着手段としてウエストゴム１Ｋを用いるが、はき口１Ｙの周縁に紐の通路を設けて紐で縛ったり、マジックテープ（登録商標）を用いたりしてもウエストへの装着は可能である。図７により意匠上、既存のボクサーショーツに近いことが理解できる。
【００５６】
図９以降の説明の前に既存の男性用パンツの寸法関係の確認のために、図８の既存の男性用パンツの左右相称形の身頃において、左身頃の生地片の裁断図の各寸法と、表１の寸法の関係について説明する。本明細書に記載する男性用パンツの具体的な寸法値は全てＭサイズを基準とし、Ｍサイズとは非特許文献２の表１４で呼び方MY、ＭＡ、MBの対象者に適合するサイズである。本明細書の表１、表２、表３のMサイズの対象者として記載する身体の計測部位の平均値は、非特許文献１の個人の計測データから女性の分を排除し、さらに非特許文献２の呼び方MY、ＭＡ、MB、のチェスト、身長、ウエストの寸法に適合しない分も排除して、殿囲、股上前後長、大腿囲の平均値を独自に算出した。従って全個人の計測データを基にする同文献の同名項目の平均値とは内容が異なる。
【００５７】
表１は非伸縮性生地の既存のＭサイズのパンツ寸法と着用者の身体寸法を対比する表である。表２は非伸縮性生地の本発明品のＭサイズのパンツ寸法と着用者の身体寸法を対比する表である。図８の左の身頃ＡＬの生地片の上端縁ＡＯＬの長さＤｈを２倍にすると、表１の既存パンツの殿囲周長に該当する。厳密には長さＤｈはウエスト部分の長さであるが、図示するように前股上前後端縁および後股上前後端縁と上端縁ＡＯＬの成す角度を略直角に形成するため、はき口の周長は殿囲周長にほぼ等しい。前記生地片の下端縁ＡＵＬの長さＤｊに股マチ布Ｃｃの長さＤｑを加えると、表１の既存パンツの脚裾口周長に該当する。前記生地片の前股上前後端縁１ＥＥＲｆの弧状辺の長さＤｅと、後股上前後端縁ＥＥｂの弧状辺の長さＤｄと、股マチ布Ｃｃの長さＤｑをすべて加算すると表１の既存パンツの身頃股上前後長さＤｃに該当する。
【００５８】
表１の既存パンツの殿囲周長１０５９ｍｍから着用者の殿囲９１０ｍｍを差し引くと余裕値１４９ｍｍとなり、着用者の殿囲寸法に対して１６％の余裕をみていることになる。表１の既存パンツの脚裾口周長６０３ｍｍから着用者の大腿囲５４２ｍｍを差し引くと余裕値６１ｍｍとなり、着用者の大腿囲寸法に対して１１％の余裕をみていることになる。同じく表１の既存パンツの身頃股上前後長さ６９７ｍｍから着用者の股上前後長５７５ｍｍを差し引くと余裕値１２２ｍｍとなり、着用者の股上前後長に対して２１％と、他よりやや大きく余裕を持たせていることになる。この表の余裕値に関し、殿囲周長や脚裾口周長の余裕は少ないことでファッション性が向上するのに対して、身頃股上前後長さの余裕が少ないと男性性器の配置が目立ちやすくなりファッション性が低下することを避けるために余裕値を大きめにしていると推測される。
【００５９】
【表１】
0006821114.tif 000002
【００６０】
図９乃至図１４は本発明の実施例１に係る男性用パンツ１Ｖを着用するときに、異なる方向から様々な態様について説明する図である。図９は実施例１の男性用パンツ１Ｖを着用するとき、男性性器との位置関係を示す正面図である。正面から見て左右の前股上前後端縁１ＥＥＲｆおよび１ＥＥＬｆ、は大略Ｖ字状の股下収納室開口部１Ｕを形成して男性性器Ｓの全体幅よりも十分に広いので、着用時に特別な操作を必要とせずに男性性器Ｓを収納し、スムーズに着用できることを表現している。前立て開口部Ｈｄの前あき口下端Ｈａａと前ウエストＭｆの高さ寸法１Ｄｔは排尿に直接的な影響があるので説明する。既存製品のボクサーショーツの前あき口下端における前記高さ寸法１Ｄｔの平均値は表１の通り略１８６ｍｍで作られている。一方既存製品の男性用ズボンの前あき口下端における高さ寸法１Ｄｔの平均値は略２１５ｍｍで作られている。これは男性用パンツのウエストはき口からの股上前後深さが男性用ズボンの股上前後深さよりも略３ｃｍほど浅いことに起因している。本発明の男性用パンツ１Ｖに前股グリを設けないことにより、開口下端Ｈａａを男性用ズボンと同等の高さに設定することができる。前記開口下端Ｈａａの高さを男性用ズボンと同等の高さに揃える効果として排尿時に男性性器の出し入れ動作がスムーズになる効果がある。なお前記開口下端の高さが低すぎるとズボン側の股グリにパンツ側の開口下端が干渉する結果、ボタン止め前立てのスムーズな開閉動作に支障を生じる恐れがある。
【００６１】
図１０（ａ）は図９の矢視β−βの断面である。男性用パンツ１Ｖを着用する男性Ｍの男性性器Ｓは、股下収納室１Ｊの内部で陰茎Ｓｂと陰嚢Ｓａが下向きに垂れた状態で収納されている。殿溝Ｍｈは右身頃１ＡＲによって完全に覆われている。男性性器Ｓの形状は個人差があり、また気温によって変化するため、陰嚢Ｓａは図の状態よりも委縮して底部１Ｇｊから上に浮き上がる場合もあり、図の状態よりも更に垂下して底部１Ｇｊに載置される場合もあり得る。右側の前股上前後端縁１ＥＥＲｆは会陰部Ｍｅから大腿部Ｍｇと陰嚢Ｓａの間を通過して、はき口１Ｙの周縁で前ウエストＭｆ近傍の右側に到達する。後股グリ１Ｗを形成する後股上前後端縁１ＥＥｂは会陰部Ｍｅから肛門Ｍａを経て殿裂Ｍｄ沿いに通過して後ウエストＭｂに到達し、後股グリ１Ｗに境界点１Ｘで連続している右側の前股上前後端縁１ＥＥＲｆは会陰部Ｍｅから大腿部Ｍｇと陰嚢Ｓａの間を通過して、はき口１Ｙの周縁で前ウエストＭｆ近傍右側に到達する。前股上前後端縁１EERｆと後股グリ１Ｗには大腿部の付け根の肌に密着させる力は作用しておらず通気性が確保されているため、既存のボクサーショーツ同様の蒸れることのない良好な装用感が得られる。
【００６２】
図１０（ｂ）について説明すると、図１０（ｂ）は図１０（ａ）の前股上前後端縁１ＥＥＲｆと後股上前後端縁１ＥＥｂの長さの配分に関する説明図である。厳密には発明品の前股上前後端縁１ＥＥＲｆは既存のパンツの前股上前後端縁と異なり、前股上前後端縁１ＥＥＲｆの起点がウエストの左右の中心である前ウエストＭｆから、ウエストゴム１Ｋ装着前に図６で示す前身頃の幅１Ｄｉの半分（９０ｍｍ）ほど、パンツ着用後は図１１（ａ）の−１Ｄｉの半分（６０ｍｍ）ほど、左右に離れており、前ウエストＭｆを起点とする既存のパンツの身頃股上前後長さと同一に比較することはできない。そこで非特許文献１の股上前後長の長さの定義に基づく長さと、前記前身頃の幅１Ｄｉの半分ほど前ウエストＭｆから離れた位置での長さを比較して、その差（マイナス７ｍｍ）を既存のパンツの身頃股上前後長さに適合する寸法１Ｄｃに補正し、Ｍサイズ対象者の股上前後長の平均値と対比したのが表２である。
【００６３】
【表２】
0006821114.tif 000003
【００６４】
表２の通りマイナス７ｍｍを補正する発明品のパンツの身頃股上前後長さ１Ｄｃは５９０ｍｍであり、表１の既存品のパンツの６９７ｍｍに比べて１１ｃｍ近く短く、身体の股上前後長５７５ｍｍに対して僅か３ ％の余裕しかない値が本発明の重要な要件である。この結果、左右の前股上前後端縁１ＥＥＲｆおよび１ＥＥＬｆは大腿部Ｍｇの付け根付近から鼠径部にかけて遊びが少ない状態に維持されて、男性性器Ｓを大腿部Ｍｇから確実に隔離することが可能になる。前記前股上前後端縁が既存のボクサーショーツのように股間から離れていないので、逆立ちなどの激しい運動に対しても男性性器Ｓは股下収納室１Ｊから脚挿通穴側に逸脱することなく保持される。大腿部の動きに身頃が追随することで、前股上前後端縁が股間の肌に当接しても密着しないように適度の隙間を形成することとなり、股下収納室１Ｊの通気性が確保されている。脚裾口はボクサーショーツ同様の通気性を有していながら男性性器を隠蔽する機能が十分で、股下収納室１Ｊの底部１Ｇｊで尿垂れによるズボンへの尿の落下を防ぎ衛生的に優れている。脚裾口周長や殿囲周長については既存のパンツの寸法と略同等である。
【００６５】
図１０（ｂ）の前股上前後端縁１ＥＥＲｆの長さ１Ｄｅと後股上前後端縁１ＥＥｂの長さ１Ｄｄについて説明する。パンツの股上前後長１Ｄｃをどのように配分するかという前提として、前股上前後端縁１ＥＥＲｆは股下収納室入り口を構成し後股上前後端縁１ＥＥｂが後股グリを構成しているので、股下収納室１Ｊには男性性器Ｓを収納し、後股グリは肛門を被覆するために最も適切な位置が前提になる。従って本発明の右側の前突き当て端縁１ＥＢＲｆと後突き当て端縁１ＥＢＲｂの突き当て位置、即ち境界点１Ｘの配置は図１０（ｂ）に図示するように会陰部Ｍｅの真下になることが最も好ましい配置になる。このとき長さ寸法１Ｄｅと長さ寸法１Ｄｄの比率は着用者の体格がＭサイズより大きくても小さくても大きく変わらないと想定される。ただし年齢あるいは人種において骨盤の前傾角度には大きな違いあることも知られており、現時点で前記比率についてすべての男性に適合する汎用性のある数値は特定することができない。具体的な１例として本発明のＭサイズのパンツの股上前後端縁長さに適合する長さ１Ｄｃが５９０ｍｍに対し、前股上前後端縁長さ１Ｄｅは２５４ｍｍ（7ｍｍ補正前は２６１ｍｍ）、後股上前後端縁長さ１Ｄｄは３３６ｍｍとし、全体寸法１Ｄｃに対する１Ｄｅ対１Ｄｄの比率が略４３％対５７％となる設定で、一部の日本人のＭサイズの適合者にとって好適な比率の男性用パンツ１Ｖを提供することができた。
【００６６】
図１１（ａ）は図１０（ａ）の男性用パンツ１Ｖを矢視ε-εから見る断面図である。股下収納室１Ｊの股下収納室開口部１Ｕ（前股上前後端縁１ＥＥＲｆと１ＥＥＬｆ）が大略Ｖ字状を呈している。図１１（ｂ）は図１１（ａ）のη部の拡大図であり、主としてひだ１Ｇｇ部を示す。この図で左右の股下１ＥＬ、１ＥＲは接近しているためひだ１Ｇｇは閉じられている状態である。
【００６７】
図１２は図１０（ａ）の矢視ζ-ζから見る男性用パンツ１Ｖと男性性器Ｓとの位置関係を示す断面図である。陰茎Ｓｂが股グリによって左右いずれかの配置を余儀なくされる既存のパンツと異なり、陰茎Ｓｂは下腹部の中央にある。本発明の実施例１の左右の身頃１ＡＬ、１ＡＲはこのような完全な円弧状の線でなく説明の便宜上、よれを無くして簡略化して表現している。男性性器Ｓは前身頃１Ｇなどに圧迫されることなく、十分な広さの大略扇状の収納空間を形成する股下収納室１Ｊに収納されている。大腿部Ｍｇと陰嚢Ｓａの間に左右の股下１EＬ、１EＲの布地辺が介在して互いを隔離しており、さらに前身頃１Ｇの垂設部１Ｇｆの左右方向へのぶれを抑えている。従って前開き口が左右にぶれて排尿時に前開き口を探す時間を要することを抑止する効果がある。
【００６８】
図１３（ａ）は図９の男性用パンツ１Ｖを矢視γ-γから見る平面図であり、ハッチング部分は股下収納室１Ｊの開口部の形状を強調して示すものであり、断面図ではない。左右一対の股下部１ＥＬおよび１ＥＲの表面と、前身頃1Ｇの裏面とが、ともに大略扇状の股下収納室空間を形成している。男性用パンツ１Ｖを履くときに、はき口１Ｙのウエストゴム１Ｋを手で上に引き上げると、生地に作用する張力により開口部は図示するように男性性器に対して十分な広さで開口しており、特段の操作を要することなく、男性性器が股下収納室１Ｊに収納されることを理解できる。さらに前記開口部は上方から目視できることも確認できる。図１３（ｂ）は図１３（ａ）のν部の拡大図である。ひだ１Ｇｇの左右の下端縁１ＰｅＬ及び１ＰｅＲが後股グリ１Ｗに接続されている。境界点１Ｘの前方から左右の前股上前後端縁ＥＥｆＬおよびＥＥｆＲが接続されることなく開放されて股下収納室の股下収納室開口部１Ｕを形成している。左右の突き当て端縁１ＥＢＬｆ、１ＥＢＬｂおよび１ＥＢＲｆ、１ＥＢＲｂと境界点１Ｘはたまたま同一場所に形成されているが、例えば実施例４のように、必ずしも突き当て端縁と境界点は同一位置に形成されるものではない。
【００６９】
図１４（ａ）は図９の男性用パンツ１Ｖを矢視δ-δから見る底面図である。図１４（ｂ）は図１４（ａ）の足を閉じた状態から開脚時へ移行する際の変化を説明する底面図であり、（ａ）の底面図と対比すると開脚時にひだ１Ｇｇが左右に開くことで、股下部分が大腿部の動きに追従していることが理解される。この機能は開脚時に限らず脚の前後運動の際にもひだ１Ｇｇによって股下に伸縮性の自由度を付与する効果として重要であり、もしこの機能がなければ脚裾口周長を大きくして対応する必要があり、余分な生地がだぶついて非常に着心地が悪く、かつ見た目の悪いパンツになってしまう。表１と表２の脚裾口周長はほとんど同一寸法であり、実施例１の男性用パンツ１Ｖは脚裾口周長を大きくする方法では開脚動作に備えていないことを示している。
【００７０】
図１５について説明すると、はき口２Ｙにウエストゴム２Ｋを接続して本発明に係る実施例２の男性用パンツ２Ｖが完成する図である。男性用パンツ２Ｖの身頃は、すべて伸縮性の生地、具体的にはポリウレタン混紡生地などである。図示例では、左身頃２ＡＬと右身頃２ＡＲとが接続されて構成されている。下着着用時に実施例２と同様、左身頃２ＡＬは着用者の左側の臀部や腰を覆い、右身頃２ＡＲは右側の臀部や腰を覆い、左右対称に配置された同形のものである。前記身頃の殿囲周長、脚裾口周長、股上前後は、人体の殿囲、大腿囲、股上前後長の各寸法から略１０乃至２０ ％ほどマイナスする長さに設定し、裁断する。このため実施例２の男性用パンツ２Ｖは既存のボクサーブリーフ同様、伸縮性の生地によって人体に密着状態で着用される。
【００７１】
男性用パンツ２Ｖの前身頃２Ｇは、身頃の上下方向に接続する垂設部２Ｇｆと、身頃の前後方向に接続する底部２Ｇｊとで形成し、垂設部２Ｇｆと底部２Ｇｊは分割されたものを接続して構成する。さらに垂設部２Ｇｆは２枚重ねのブリーフ型前立てＨｃを構成するために内側と外側の２枚の生地片で構成し、底部２Ｇｊも左右対称の２枚の生地片GuL、GuRに分割されたものを接続して構成する。なおブリーフ型前立てＨｃについては前身頃２Ｇに必ずしも必要としない場合もあり得るので、前記ブリーフ型前立てＨｃを配設しない場合の垂設部２Ｇｆは一枚仕立てでも構わない。
【００７２】
左右の前股上前後端縁２ＥＥＲｆおよび２ＥＥＬｆを股下収納室開口部２Ｕとすることは実施例１と変わらないが、実施例１と比較して着用前の開口部２Ｕは図１３（ａ）に示すハッチング部分のように大きく開いておらず、スリット状である。しかしながら縦長の開口部と生地の伸縮性の効果によって、着用時の男性性器は特段の操作を要することなく股下収納室２Ｊの所定の位置にスムーズに収納される。図１５から意匠上、既存のボクサーブリーフに近いことが理解できる。
【００７３】
図１６は実施例２の男性用パンツ２Ｖの上に既存の上履きズボンＱを着用するときの正面図を示す。前身頃底部２Ｇｊの中央部を既存のズボンの股グリＱａが持ち上げるため、男性用パンツ２Ｖには前股グリが形成されるので陰茎Ｓｂは左右いずれかに移動させられる。前股グリが形成される現象は実施例１の男性用パンツV１の場合も同様である。しかしながら股下収納室２Ｊの左右の側壁（股下）によって前記左右方向への移動量が抑えられるため、既存のボクサーブリーフやボクサーショーツよりファッション性が向上する。
【００７４】
図１７は実施例１の男性用パンツ１Ｖの股下収納室１Ｊの底部１Ｇｊに吸水材Ｔを敷いて使用している断面図である。尿漏れの症状が軽い場合はトイレットペーパー程度でも十分に実用的で取り換えに手間を要しない。股下収納室１Ｊには高吸水性高分子の専用パッドを配置するスペースとしても十分な容積が確保されている。
【００７５】
図１８は本発明の実施例３の男性用パンツ３Ｖの正面図である。前身頃Ｇ３の上端縁をはき口３Ｙでなく、その近傍に接続する例として本図を提示する。
【００７６】
図１９は本発明の実施例４の男性用パンツ４Ｖの身頃Ａの裁断形状を示す展開図であり、身頃Ａは１枚仕立てに合成しており、左右に分かれていない。ハッチング部分は後股グリ４Ｗを示しており断面図ではない。左右の前股上前後端縁４ＥＥＬｆおよび４ＥＥＲｆと同じ端縁部に境界点４Ｘを境に後股グリの後股上前後端縁４ＥＥｂが配設されている。中央の二点鎖線は後股上前後４EAの一部であり、前記後股上前後端縁４ＥＥｂを接続することで全体の後股上前後が完成する。
【産業上の利用可能性】
【００７７】
パンツに設けた股下収納室のスペースは広大であり、尿吸収パッドを取り付けることができるので、一般男性だけでなく介護施設などにおいて介護の必要な男女共用のパンツに適用できる。構造も単純であり不識布や紙などの素材で使い捨てのパンツにも利用可能である。
【符号の説明】
【００７８】
符号の説明において記号「＊」には実施例１乃至４の数字を適用し、例えば実施例１の形態左身頃の場合、符号と説明の記号「＊」には同じ数字の１を適用し「１ＡＬ」の符号を用い「実施例１の形態左身頃」の説明とする。同様に実施例２の形態左身頃の場合、記号「＊」には２を適用し「２ＡＬ」の符号と「実施例２の形態左身頃」の説明とする。他の符号の説明も前記に準ずる。
【００７９】
Ａ  実施例４の形態身頃
ＡＬ  既存のパンツの形態左身頃
＊ＡＲ  実施例＊の形態右身頃、＊ＡＬ  実施例＊の形態左身頃
ＡＯ  実施例４の形態身頃上端縁
ＡＯＬ  既存のパンツの形態左身頃上端縁
＊ＡＯＲ  実施例＊の形態右身頃上端縁、＊ＡＯＬ  実施例＊の形態左身頃上端縁
ＡＵＬ  既存のパンツの形態左身頃下端縁、＊ＡＵＲ  実施例＊の形態右身頃下端縁、＊ＡＵＬ  実施例＊の形態左身頃下端縁
Ｃａ  ボタン、Ｃｂ  ボタンホール
Ｄｃ  既存のパンツの身頃股上前後長さ、＊Ｄｃ  実施例＊の身頃股上前後長さ
Ｄｄ  既存のパンツの後股上前後端縁長さ、＊Ｄｄ  実施例＊の後股上前後端縁長さ
Ｄｅ  既存のパンツの前股上前後端縁長さ、＊Ｄｅ  実施例＊の前股上前後端縁長さ
Ｄｈ  既存のパンツの身頃はき口の長さ、＊Ｄｈ  実施例＊の身頃はき口の長さ
＊Ｄｉ  実施例＊の前身頃はき口の長さ
Ｄｊ  既存のパンツの身頃脚裾口の長さ、＊Ｄｊ  実施例＊の身頃脚裾口の長さ
Ｄｑ  股マチ布の長さ
Ｄｔ  既存のパンツの開口下端までの長さ、＊Ｄｔ  実施例＊の形態開口下端までの長さ
＊ＥＡ  実施例＊の形態後股上前後
＊ＥＣ  実施例＊の形態股上
＊ＥＥｂ  実施例＊の形態後股上前後端縁
＊ＥＬ  実施例＊の形態左身頃の股下、＊ＥＲ  実施例＊の形態右身頃の股下
＊ＥＥＲｆ  実施例＊の形態右身頃の前股上前後端縁、＊ＥＥＬｆ  実施例＊の形態左身頃の前股上前後端縁
＊ＥＢＬｂ  実施例＊の形態左身頃の後突き当て端縁、＊ＥＢＬｆ  実施例＊の形態左身頃の前突き当て端縁、
＊ＥＢＲｂ  実施例＊の形態右身頃の後突き当て端縁、＊ＥＢＲｆ  実施例＊の形態右身頃の前突き当て端縁、
＊Ｇ  実施例＊の形態前身頃、＊Ｇｆ  実施例＊の形態前身頃の垂設部、＊Ｇｊ  実施例＊の形態前身頃の底部
ＧＬ  左前身頃、ＧＲ  右前身頃、ＧＴ  外側の前身頃垂設部、ＧＮ  内側の前身頃垂設部、ＧｕＲ  右の前身頃底部、ＧｕＬ  左の前身頃底部、Ｇｃ  見返し
＊ＧｅＣ  実施例＊の形態前身頃の中央分割端縁
＊Ｇｇ  実施例＊の形態ひだ
＊ＧｇｅＣ  実施例＊の形態ひだの中央分割端縁
Ｈａ  ボタン止め前立て、Ｈａａ  ボタン止め前立ての開口下端、Ｈｄ  ボタン止め前たて開口部、Ｈｃ  ブリーフ式前立て、Ｈｃａ  ブリーフ式前立ての開口部、Ｈｃｃ  ブリーフ式前立て開口下端、Ｈｅ  持ち出し部
＊Ｊ  実施例＊の形態股下収納室、
＊Ｋ  実施例＊の形態ウエストゴム
Ｍ  着用者、Ｍａ  肛門、Ｍｂ  後ウエスト、Ｍｃ  鼠径部、Ｍｄ  殿裂部、Ｍｅ  会陰部、Ｍｆ  前ウエスト、Ｍｇ  大腿部、Ｍｈ  殿溝、Ｍ１Ｊ  下腹部
＊ＮａＲ  実施例＊の形態右脚口裾、＊ＮａＬ  実施例＊の形態左脚口裾
＊ＰａＲ  実施例＊の形態前身頃の底部右側端縁、＊ＰａＬ  実施例＊の形態前身頃の底部左側端縁
＋＊ＰａＲ  実施例＊の形態底部右側端縁接続線、＋＊ＰａＬ  実施例＊の形態底部左側端縁接続線
＊ＰｃＲ  実施例＊の形態前身頃の垂設部右側端縁、＊ＰｃＬ  実施例＊の形態前身頃の垂設部左側端縁
＋＊ＰｃＲ  実施例＊の形態垂設部右側端縁接続線、＋＊ＰｃＬ  実施例＊の形態垂設部左側端縁接続線
Ｐｄ  前身頃切り替え線、ＰｄＯＵ  前身頃切り替え線かつ分割端縁
＊ＰｅＲ  実施例＊の形態前身頃の右下端縁、＊ＰｅＬ  実施例＊の形態前身頃の左下端縁
＋＊ＰｅＲ  実施例＊の形態前身頃の右下端縁接続線、＋＊ＰｅＬ  実施例＊の形態前身頃の左下端縁接続線
＊Ｐｇ１  実施例＊の形態ひだ折曲線その１、＊Ｐｇ２  実施例＊の形態ひだ折曲線その２
Ｑ  ズボン、Ｑａ  ズボンの股グリ
Ｓ  男性性器、Ｓａ  陰嚢、Ｓｂ  陰茎、Ｓｄ  亀頭、
Ｔ  給水材
＊U  実施例＊の形態股下収納室の開口部
＊Ｖ  実施例＊の形態男性用パンツ
＊Ｗ  実施例＊の形態後股グリ
＊Ｘ  実施例＊の形態前股上前後端縁と後股グリの境界点
＊Ｙ  実施例＊の形態はき口
【要約】
【課題】
ボクサーブリーフ型の陰茎を上向きにサポートして男性性器を大腿部から隔離、収納するパンツは存在したが、垂下する男性性器を大腿部から隔離、収納するボクサーショーツ型のパンツは、左右の股下の自由度が制限されるおそれや、ファッション性が低下する問題があり、実現していなかった。
【解決手段】
身頃の前方下腹部に開口部（１Ｕ）を穿設し、前記開口部を股上（１ＥＣ）から股下（１ＥＲ、１ＥＬ）まで前身頃で覆って、股下の生地片で男性性器と大腿部を隔離する収納室を設け、前記収納室に股グリ（１Ｗ）に連設するひだを形成して股下に接続する。前記ひだの伸縮性によって左右の股下の自由度が制限されることがなくなり、股グリの無い前身頃によって既存のボクサーショーツなどよりも男性性器の配置が目立たなくなり、ファッション性の優れたパンツになる。【図１】
0006821114.tif 000004
【図２】
0006821114.tif 000005
【図３】
0006821114.tif 000006
【図４】
0006821114.tif 000007
【図５】
0006821114.tif 000008
【図６】
0006821114.tif 000009
【図７】
0006821114.tif 000010
【図８】
0006821114.tif 000011
【図９】
0006821114.tif 000012
【図１０】
0006821114.tif 000013
【図１１】
0006821114.tif 000014
【図１２】
0006821114.tif 000015
【図１３】
0006821114.tif 000016
【図１４】
0006821114.tif 000017
【図１５】
0006821114.tif 000018
【図１６】
0006821114.tif 000019
【図１７】
0006821114.tif 000020
【図１８】
0006821114.tif 000021
【図１９】
0006821114.tif 000022